(57)【要約】  医療実務者にアラートするシステムは、複数の受信装置と送信局とを有する。複数の受信装置のそれぞれは、対応する医療実務者に関連付けされる。受信装置は、ユーザアラート装置、受信機及び回路を有する。ユーザアラート装置は、複数のタイプのアラートの１つによって受信メッセージに対して実務者にアラートする。受信機は、入力メッセージを受信する。回路は、ユーザアラート装置に複数のタイプのアラートの１つによって入力メッセージについて実務者にアラートさせる。送信局は、各メッセージが選択されたタイプのアラートに対応し、予め選択された複数のタイプの医療重大性の１つの医療情報を搬送するメッセージを、受信装置が選択されたタイプのアラートによりメッセージを受信したことを実務者にアラートするように、受信装置の選択された１以上に送信する。
2014532250.tif 000002
【特許請求の範囲】
【請求項１】
医療実務者にアラートするシステムであって、
各受信装置が対応する医療実務者に関連付けされ、複数のタイプのアラートの１つによって受信メッセージについて前記実務者にアラートするユーザアラート装置と、前記入力メッセージを受信する受信機と、前記ユーザアラート装置に前記複数のタイプのアラートの１つにより入力メッセージについて前記実務者にアラートさせる回路とを有する、複数の受信装置と、
各メッセージが前記アラートのタイプの選択された１つに対応し、前記受信装置が前記選択されたタイプのアラートによって前記メッセージを受信したことを前記実務者にアラートするように、前記受信装置の選択された１以上に複数の予め選択されたタイプの医療重大性の１つの医療情報を搬送するメッセージを送信する送信局と、を有するシステム。
【請求項２】
生理的パラメータをモニタする患者モニタであって、前記モニタは複数の選択された医療基準のそれぞれに応答して前記モニタされた生理状態を示すメッセージを前記実務者の１人に出力し、前記実務者に関連する受信装置が前記メッセージの医療重大性に対応するタイプのアラートにより前記実務者にアラートするように、前記送信局は各メッセージの選択された医療基準と対応するタイプのアラートとを関連付け、前記メッセージを前記実務者の１人に送信する、患者モニタを更に有する、請求項１記載のシステム。
【請求項３】
前記送信局は、各識別子が前記アラートのタイプの１つに対応する複数の送信局識別子を有し、前記アラート装置が前記選択されたアラートにより前記送信局識別子に応答するように、前記メッセージが選択されたアラートに対応する前記送信局の１つにより送信される、請求項１又は２記載のシステム。
【請求項４】
前記受信装置の少なくとも１つは、各識別子が前記アラートのタイプの１つに対応する複数の受信局識別子を有し、前記アラート装置が選択されたアラートにより前記受信局識別子に応答するように、前記送信局は、前記選択されたアラートに対応する受信局識別子に前記メッセージを送信する、請求項１乃至３何れか一項記載のシステム。
【請求項５】
前記送信局は、前記メッセージにアラートタイプを符号化し、
前記受信装置の回路は、前記メッセージを読み、前記符号化されたアラートを復号化する、請求項１乃至４何れか一項記載のシステム。
【請求項６】
前記ユーザアラート装置の少なくとも１つは、音声出力装置、バイブレート装置及び光出力装置の少なくとも１つを有する、請求項１乃至５何れか一項記載のシステム。
【請求項７】
前記音声出力装置の着信音、前記バイブレート装置のバイブレーションパターン、又は前記光出力装置による光のパターン若しくはカラーは、前記アラートのタイプを示す、請求項１乃至６何れか一項記載のシステム。
【請求項８】
前記送信局識別子と前記受信局識別子の少なくとも１つは、
ソースＰＳＴＮ（Ｐｕｂｌｉｃ  Ｓｗｉｔｃｈｅｄ  Ｔｅｌｅｐｈｏｎｅ  Ｎｅｔｗｏｒｋ）番号、
ソースＩＰアドレス、
ソースＩＰポート番号、
ＳＩＰ登録されたソース論理アドレス、
デスティネーションＩＰアドレス、
デスティネーションＩＰポート番号、及び
ＳＩＰ登録されたデスティネーション論理アドレス
の少なくとも１つである、請求項１乃至７何れか一項記載のシステム。
【請求項９】
１以上の物理的な受信装置に１以上の論理アドレスを含むメッセージを送信するためのプロキシサーバとして動作するＳＩＰ（Ｓｅｓｓｉｏｎ  Ｉｎｉｔｉａｔｉｏｎ  Ｐｒｏｔｏｃｏｌ）設定されたサーバを更に有する、請求項１乃至８何れか一項記載のシステム。
【請求項１０】
医療実務者にアラートするシステムであって、
生理パラメータをモニタする患者モニタであって、前記モニタされた生理状態と前記モニタされた生理状態の医療重大性とを示すメッセージを前記実務者の１人に出力する、患者モニタと、
前記メッセージに関連する医療重大性に対応するアラートタイプを関連付け、前記実務者に関連する受信装置が前記メッセージの医療重大性に対応するタイプのアラートによって前記実務者にアラートするように、前記実務者の１人の受信装置に前記メッセージ及び前記関連するアラートを送信する送信局と、
を有するシステム。
【請求項１１】
医療実務者にアラートする方法であって、
１以上のタイプの予め選択された医療重大性による医療情報を搬送するメッセージを選択された１以上の受信装置に送信するステップと、
前記受信装置の１つが、前記医療メッセージを受信し、前記メッセージにより搬送された医療情報の医療重大性のタイプの１つに対応するタイプのアラートを実行することによって、前記メッセージの受信に応答するステップと、
を有する方法。
【請求項１２】
複数の選択された医療基準のそれぞれに応答して、前記モニタされた生理状態を示す生理パラメータをモニタする患者モニタにより送信される前記メッセージを前記実務者の１人に出力するステップを更に有する、請求項１１記載の方法。
【請求項１３】
各識別子が前記アラートのタイプの１つに対応する複数の送信局識別子の１つを利用して送信される前記メッセージを、前記受信装置が前記送信局識別子に対応する前記アラートにより応答するように符号化するステップを更に有する、請求項１１又は１２記載の方法。
【請求項１４】
各識別子が前記アラートのタイプの１つに対応する複数の受信局識別子の１つを利用して送信される前記メッセージを、前記受信装置が前記受信局識別子に対応する前記アラートにより応答するように符号化するステップを更に有する、請求項１１乃至１３何れか一項記載の方法。
【請求項１５】
送信局がアラートタイプを前記メッセージに符号化するステップと、
前記受信装置が前記メッセージを読み、前記アラートを復号化するステップと、
を更に有する、請求項１１乃至１４何れか一項記載の方法。
【請求項１６】
前記アラートタイプを符号化するステップは、テキスト又は音声コマンドを前記アラートタイプを示すメッセージ本体に挿入することを含む、請求項１１乃至１５何れか一項記載の方法。
【請求項１７】
前記アラートタイプの実行は、
前記受信装置上で所定の着信音を再生すること、
所定のパターンに従って前記受信装置をバイブレートすること、及び
前記受信装置の光出力装置上で所定のライトのパターン又はライトのカラーを表示すること、
の少なくとも１つを含む、請求項１１乃至１６何れか一項記載の方法。
【請求項１８】
前記送信されるメッセージは、
ソースＰＳＴＮ（Ｐｕｂｌｉｃ  Ｓｗｉｔｃｈｅｄ  Ｔｅｌｅｐｈｏｎｅ  Ｎｅｔｗｏｒｋ）番号、
ソースＩＰアドレス、
ソースＩＰポート番号、
ＳＩＰ登録されたソース論理アドレス、
デスティネーションＩＰアドレス、
デスティネーションＩＰポート番号、及び
ＳＩＰ登録されたデスティネーション論理アドレス
の少なくとも１つを含む、請求項１１乃至１７何れか一項記載の方法。
【請求項１９】
前記メッセージは、音声メッセージ、ＳＭＳメッセージ、電子メールメッセージ及びインスタントメッセージ（ＩＭ）の少なくとも１つを含む、請求項１１乃至１８何れか一項記載の方法。
【請求項２０】
１以上のタイプの予め選択された重大性に対応する情報を搬送するメッセージを選択された１以上の受信装置に送信するステップと、
前記受信装置の１つが、前記メッセージを受信し、前記予め選択された重大性のタイプの１つに対応するタイプのアラートを実行することによって、前記メッセージの受信に応答するステップと、
を有するアラートのための方法。
【発明の詳細な説明】
【技術分野】
【０００１】
本発明は、医療システム、病院システム及びモバイル装置に関し、具体的には自らのモバイル装置上で医師に提供されるアラートに関する。
【背景技術】
【０００２】
医師は移動し、モバイル環境において実際の医療を可能にする装置を備えることが増えている。モバイル環境は、インターネット、音声通信、病院システム及び医療システムとの接続を含む。典型的な医師は、スマートフォン又はタブレットコンピュータ、携帯電話などの他のモバイル装置を携行する。医療提供中、医師は、ウェブブラウザを介し電話通信、電子メール、インスタントメッセージング及びシステムアクセスを利用するかもしれない。システムアクセスは、実験結果又は他の診断情報の確認、指示又は処方箋の作成、スケジューリング及び日中に生じる各種イベントへの応答に関するものであるかもしれない。医師は移動するため、スケジュールの変更、新たな結果又は新たなイベントがメッセージとして送信されることが多くなる。
【０００３】
医師に対するメッセージは、専門実務及び／又は医療の役割に応じて各種ソースから発生する。医療の実践の大きさ、利用される施設及び専門性に応じて、いくつかの役割は組み合わされ、他のものは分離される。１以上のスケジューラは、新たなアポイントメント、通常予定される患者の訪問、患者のための実験テスト、フォローアップアポイントメント、緊急アポイントメント、及び医療施設の管理、制約会社のエージェントの訪問又は他のベンダなどの管理的アポイントメントを処理する。医療実務者はまた、実験結果、患者コール、システムモニタ、患者モニタなどの受信などのイベントに応答する。これらのイベントは、しばしばその性質、緊急性又は予想されるレスポンスに応じて、音声、テキスト又は電子メールなどの電子メッセージとして医師に通信される。
【０００４】
医師に通信されるメッセージは全てが同じように通信できるとは限らず、又は医師は圧倒される可能性がある。医師は、フィルタを設定し、必要とされるより多くの中断を許容することによって、医療提供と新たなイベント及び変更の確認とをバランスさせることを試みる。１つのフィルタリング方法は、メッセージを確認し、その性質、緊急性及び当該時点における医師から期待されるレスポンスに従ってメッセージをを転送するオフィスのスタッフを雇うことである。これは、医師へのメッセージのトラフィックを低減するが、メッセージの意志決定を医師から離れたものにする。これはまた、２４時間常駐しているとは限らないスタッフの追加的な費用を伴う。
【０００５】
他のアプローチは、より短いテキストメッセージによって、より迅速なメッセージの確認を可能にすることである。医療実務者は、依然として各メッセージを視覚的に確認するが、各メッセージに費やされる時間は短い。フィルタを設定し、メッセージを短縮し、各メッセージを視覚的に確認することの組み合わせが通常の結果である。医療実務者は、全てのメッセージを確認するため自らのワークフローを中断するか、又は現在の医療行為を継続するため全てのメッセージの確認を保留する。
【０００６】
病院及び医療システムはしばしば、各種患者モニタを含む。閾値が設定され、システムは、メッセージを医師に自動送信するようプログラムされる。これらは、同一ソースからのメッセージとしてシステムモニタに現れる。頻繁に、医師はそれがモニタからのものであり、その性質、緊急性及び期待されるレスポンスを決定するためメッセージを確認する必要があることしか知らないメッセージを受信する。
【０００７】
現在の技術は、医師がメッセージのコンテンツを確認する前に、受信したときにメッセージの性質、緊急性及び期待されるレスポンスを区別するための限定的な手段しか可能にしない。モバイル装置又はスマートフォンの着信音は、メッセージがオフィス、実験室、ＩＣＵなどの特定のソースから受信されたことを医師にアラーとするのに利用されるが、メッセージコンテンツに基づき区別したアラートを可能にするものでない。
【０００８】
その性質、緊急性及びメッセージに対して期待されるレスポンスを区別するアラートは、医師がメッセージの確認を自分のパーソナルワークフローに最も良く統合する方法を決定することを可能にするのに効果的であろう。これは、現在のタスクの性質、緊急性及び期待されるレスポンスと、医療実務者により最良に判断されたメッセージアラートに示唆されたものとのバランスに依存する。
【発明の概要】
【発明が解決しようとする課題】
【０００９】
本出願は、上述した問題などを解決する医師に対するコンテンツに固有のアラートのための新規かつ改良された方法及びシステムを提供する。
【課題を解決するための手段】
【００１０】
現在の電話は、複数の指定された発信者のそれぞれについて選択された着信音を生成できる。本コンセプトの一例では、医療機関は、それぞれが医療状況の緊急性などの異なるタイプのアラートに対応する複数の出力電話番号を有する。実務者に医療問題をアラートする必要があるとき、出力する携帯電話の音声コール又はテキストメッセージが、医療状況の緊急性とアラートのタイプに対応する電話番号から送信される。その後、実務者の電話は、当該タイプのアラートを示す着信音により鳴動する。着信音よりも、ディスプレイが開き、又はバイブレーションがアラートタイプを示すのに利用可能である。電子メールメッセージについて、インターネットプロトコル（ＩＰ）アドレスが同様に利用可能である。
【００１１】
将来的なモバイル装置は、複数の電話番号又はＩＰアドレスを有するかもしれない。各電話番号又はＩＰアドレスは、複数のアラートタイプの対応する１つを示す着信音などと関連付けされる。医療状況に関するメッセージが、アラートタイプに対応する電話番号又はＩＰアドレスに送信される。
【００１２】
一態様によると、医療実務者にアラートするシステムは、複数の受信装置と送信局とを有する。各受信装置は、対応する医療実務者に関連付けされる。受信装置は、ユーザアラート装置、受信機及び回路を有する。ユーザアラート装置は、複数のタイプのアラートの１つによって受信メッセージについて実務者にアラートする。受信機は、入力メッセージを受信する。回路は、ユーザアラート装置に複数のタイプのアラートの１つによって入力メッセージについて実務者にアラートさせる。送信局は、各メッセージが選択されたアラートのタイプに対応し、複数の予め選択されたタイプの医療重大性の１つの医療情報を搬送するメッセージを、受信装置が選択されたタイプのアラートによってメッセージを受信したことについて実務者にアラートするように、選択された１以上の受信装置に送信する。
【００１３】
他の態様によると、医療実務者にアラートするシステムが提供される。患者モニタは、生理状態をモニタし、モニタされた生理状態及びモニタされた生理状態の医療重大性を示すメッセージを実務者の１人に出力する。送信局は、メッセージ及び関連するアラートタイプに関連する医療重大性に対応するアラートタイプと実務者の１人の受信装置とを関連付ける。受信装置は、メッセージの医療重大性に対応するアラートタイプにより実務者にアラートする。
【００１４】
他の態様によると、医療実務者にアラートする方法は、１以上のタイプの予め選択された医療重大性による医療情報を搬送するメッセージを選択された１以上の受信装置に送信する。受信装置の１つによって、医療メッセージが受信され、メッセージにより搬送された医療情報の医療重大性のタイプの１つに対応するタイプのアラートを実行することによって当該受信に応答する。
【００１５】
他の態様によると、アラートを送信する方法は、１以上のタイプの予め選択された重大性による情報を搬送するメッセージを選択された１以上の受信装置に送信する。受信装置の１つによって、メッセージを受信し、予め選択された重大性のタイプの１つに対応するタイプのアラートを実行することによって、受信装置に関連する人にアラートする。
【発明の効果】
【００１６】
１つの効果は、アラートがメッセージコンテンツを示すのに利用可能であることである。
【００１７】
他の効果は、着信音のアラートがハンズフリーな情報の配信を医療実務者に提供することである。
【００１８】
他の効果は、アラートが医療、医療サービスプロバイダ、医療施設又は医療実務者について標準化可能であるということである。
【００１９】
他の効果は、アラートが医療実務者についてカスタマイズ可能であるということである。
【００２０】
他の効果は、アラートがメッセージの複数の発信元を収容可能であるということである。
【００２１】
他の効果は、メッセージを読む前に医療実務者にその性質、緊急性及び／又は期待されるレスポンスを示すことである。
【００２２】
他の本発明の更なる効果は、以下の詳細な説明を参照及び理解した当業者に理解されるであろう。
【００２３】
本発明は、各種コンポーネント及びコンポーネントの組み合わせ、並びに各種ステップ及びステップの組み合わせの形態をとりうる。図面は、好適な実施例を説明するためだけのものであり、本発明を限定するものとして解釈されるべきでない。
【図面の簡単な説明】
【００２４】
【図１】図１は、受信装置の拡大図と共に送り先の医師にアラートが送信される一実施例による環境を示す図である。
【図２】図２は、受信装置の一実施例の図である。
【図３】図３は、特定のアラートをトリガする送信先装置にメッセージを送信する一例となる構成の図である。
【図４】図４Ａ、４Ｂ及び４Ｃは、各種医師アラートをトリガするメッセージフォーマットの図である。
【図５】図５は、送信先装置において明示される可能性のあるアラート設定を示す一例となるテーブルである。
【図６】図６は、ＳＩＰプロトコルを利用した可能性のある１−ｎのデバイスのデスティネーションとｍ−１のソースとを示す図である。
【図７】図７は、メッセージ本体のコンテンツに基づきアラートをトリガする実施例のフローチャートである。
【図８】図８は、ソース及び／又はデスティネーションアドレスにより反映されるメッセージコンテンツに基づきアラートをトリガする実施例のフローチャートである。
【図９】図９Ａ及び９Ｂは、一実施例によるメッセージの設定及び送信のそれぞれのフローチャートである。
【発明を実施するための形態】
【００２５】
図１を参照して、メッセージ５が、各種ソース、各種機構及び各種メッセージフォーマットにより医師２０の携帯電話、スマートフォン、ＰＤＡなどの受信装置１０に到着する。送信先の医師２０のスマートフォン又は他の受信装置上のアラートは、メッセージ５又はメッセージコンテンツに対する性質、緊急性及び／又は期待されるレスポンスを示す。メッセージのソースは、病院や医療施設などの組織２５を含む。メッセージの発信元は、サーバ、デスクトップ、ラップトップ、スマートフォン、モニタリング装置などの送信局３０からメッセージを送信する。メッセージの発信元は、患者モニタ３４などのシステムにより許可されたソース、スケジューリング、病院管理、実験、放射線、入院患者などのためのシステム３８、外来患者システム３２、及び音声通信４２及び／又はシステム通信４４を介した他の医師又は医療実務者４０を含む。セルラシステム５０やＰＳＴＮ（Ｐｕｂｌｉｃ  Ｓｙｓｔｅｍ  Ｔｅｌｅｐｈｏｎｅ  Ｎｅｔｗｏｒｋ）、イーサネット（登録商標）６０やＷｉＦｉ７０などの有線及び無線ネットワーク、インターネット８０及びこれらの相互接続された組み合わせなどを介し接続が維持される。
【００２６】
メッセージは、音声、電子メール、テキスト及びインスタントメッセージとして提供され、テキスト、音声及び他のマルチメディアフォーマットを含む。メッセージ技術は、インターネットプロトコル（ＩＰ）、ショートメッセージシステム（ＳＭＳ）、ＰＳＴＮプロトコル及びセッションイニシエーションプロトコル（ＳＩＰ）を利用する。ＳＩＰは、ＩＥＴＦ（Ｉｎｔｅｒｎｅｔ  Ｅｎｇｉｎｅｅｒｉｎｇ  Ｔａｓｋ  Ｆｏｒｃｅ）により開発されたシグナリングプロトコルである。ＳＩＰは、アドレスにマッピングするＳＩＰにより構成されたサーバ９０を利用して、複数の論理アドレスの登録を許可する。論理アドレスは、当該論理アドレスを利用するメッセージの性質、緊急性及び／又は期待されるレスポンスを示す情報を含むことが可能である。
【００２７】
ＩＰアドレス、ＳＩＰ論理アドレス、ポート番号、ＰＳＴＮ番号のセット及び／又は組み合わせが、メッセージを送信及び／又は受信するのに利用される。アドレスが以前に装置又は人を示していた場合、アドレスの組み合わせは、人又は装置と、性質、緊急性及び／又は期待されるレスポンスとの双方を示す。メッセージ５は、医療実務者２０と組織２５との間で合意されたメッセージカテゴリを表すアドレスの組み合わせを利用するようカテゴリ化される。各組織は、メッセージカテゴリと関連する期待されるレスポンスとを定義可能である。デフォルト設定が、実務者に提供できる。実務者は、複数の組織の設定を組み合わせ又は分離可能である。受信装置１０上でトリガされ、メッセージカテゴリに対応するアラートが、受信装置１０上で設定される。
【００２８】
受信装置１０上で設定されたアラートは、手動によるエントリ及び／又はダウンロードを含む。アラートは、医療実務者２０、医療提供者及び／又は医療施設２５に固有のものとすることが可能であるか、又は医療に一般化することが可能である。例えば、コードブルーとして通常知られる生命の危険のある緊急事態は、アラーム着信音であるアラートを有してもよく、スマートフォンディスプレイ上の青色の点滅を有してもよい。
【００２９】
図２を参照して、一実施例による受信装置１０は、入力メッセージ５を受信する受信機１１０を有する。受信機１１０は、ＷｉＦｉ７０又はＰＳＴＮ５０の何れかの無線接続から受信する。回路１６０は、受信機から受信したメッセージを処理し、メッセージ５により示されるアラートを特定する。受信装置のメモリ１７０に格納されている設定を利用して、回路１６０は、アラート装置１２０の各種コンポーネントを起動する。
【００３０】
アラート装置１２０は、バイブレート装置１３０、音声出力装置１５０及び光表示装置１４０を有する。バイブレート装置１３０は、アクティブ化されると、設定されたアラートパターンに従って受信装置１０にバイブレーションパターンを発生させる。音声出力装置１５０は、受信したメッセージ５により示されるアラートについて設定された着信パターンを鳴動又は再生する。装置１０の通常の入出力表示機能に利用される光出力ディスプレイ１４０は、受信したメッセージ５により示されるアラートによりトリガされたカラー及び／又は点滅パターンを表示する。
【００３１】
図３を参照して、一例となる構成は、特定のアラートをトリガするメッセージ５を受信装置１０に送信することを示す。メッセージは、物理的な送信局３０の１つから送信されるが、アラートによりメッセージコンテンツを区別する。アラートはグループ化されるが、特定のパターンは、異なる性質、緊急性及び／又は期待されるレスポンスを示す。
【００３２】
例えば、骨折した四肢を有する患者の放射線画像は、画像があることを示す黄色のライトであるアラートパターンを示し、生命の危険のない手術がスケジューリングされる必要がある。生命の危険のある状態の緊急手術についてスケジューリングされた患者の放射線画像は、赤色の点滅を示すものであってもよい。手術が差し迫っているか、又は緊急手術の状況を決定するため画像の確認が必要である場合、聴取可能なアラートが追加されてもよい。放射線は本例のメッセージの全てについて同一のソースであるが、メッセージコンテンツはアラートパターンにより区別される。
【００３３】
アラートは、専門性に固有のものであってもよい。家庭医療実務者は、外科医や内科医実務者と異なるアラートを利用してもよい。例えば、実務者のオフィスからのアラートは、苦しんでいる患者に対する薬の要求を示すメッセージに対する１つの着信音と、スケジューリング問題に関するオフィスからのメッセージについての異なる着信音とを利用してもよい。期待されるレスポンスは異なる。第１の例では、実務者はメッセージを確認し、処方箋を指示する。第２の例では、以降にスケジューラにコールすることが保証されるかもしれない。複数のメッセージのそれぞれについての異なるアラートは、実務者が１回のコール又はシステムの利用により複数のメッセージをアドレス指定することを可能にする。
【００３４】
他の例では、ＩＣＵ実務者のためのシステムアラートは、メッセージの致命度を区別する。１つの着信音は装置の不調を示し、異なる着信音はモニタにより記録された疑わしい異常な患者状態を示し、他の着信音は致死的な状態がモニタされた／モニタされていることを示す。これらの通知は、異なる緊急度のアクションを求めるものであってもよい。第１は、バックアップ装置を準備するためのコールが行われるべきであることを示すものであってもよい。あるベッドの患者に関連するイベントからの着信音によるアラートと、他のベッドの患者に関連するイベントからの着信音とは、患者の状態に依存して異なるレスポンスの緊急性を示すものであってもよい。
【００３５】
適切に設定されたプロトコルは、着信音のパターン、バイブレーションのパターン及び／又はライトのパターンの関連付けを可能にする。送信局３０を用いたソースは、メッセージ５のＰＳＴＮ番号（発信者ＩＤ）、ＳＩＰ登録された論理ソースアドレス、ソースＩＰアドレス及び／又はポート番号、デスティネーションＩＰアドレス及び／又はポート番号、並びにＳＩＰ登録されたデスティネーション論理アドレスを用いて区別できる。
【００３６】
図４Ａ〜４Ｃを参照して、メッセージコンテンツは、他の各種方法により特定できる。特定の装置１０の設定は、各アラートがどのように決定されるか、またそれが当該装置上でどのように明示されるかを設定する。アラートは、発信者又はソースの論理アドレス４１０において示すことができる、あるいは、アラートは、論理デスティネーションアドレス４２０により示すことができる。ＳＩＰ登録コマンドは、論理アドレスの利用を許可し、論理アドレスと実際のアドレスとの間を決定する。装置１０によるメッセージ５の受信は、論理アドレスの一方又は双方を用いて装置１０上で設定されたアラートをトリガする。
【００３７】
他の実施例は、実務者の受信装置１０にインストールされたアプリケーションを用いてメッセージ本体を調べる。メッセージが受信されると、アプリケーションは、メッセージ４３０の本体を開き、アラートインジケータのための最初の部分などの指定された部分を調べる。メッセージは、アラートを指定する符号化による音声、テキストなどとすることができる。例えば、音声メッセージによると、アプリケーションは、音声コマンドをサーチできる。音声インジケータの一例は、カラー又は病院で頻繁に利用される他の標準化された方法などを用いた“コードブルー”とすることができる。
【００３８】
図５を参照して、一例となるテーブルは、デスティネーション装置１０において明示されるアラート５００の設定を示す。アラートは、着信音５１０のみとすることが可能である。アラートはまた、受信装置のディスプレイスクリーンを用いたライトディスプレイ５３０又はバイブレーション５２０とすることが可能である。アラートは、着信音、バイブレーションパターン又はライティングパターンの組み合わせとすることができる。各アラートがどのように明示されるかは、装置１０の設定により決定される。各アラートは、医療実務者によりとられるべき期待されるアクション５４０と関連付け可能である。
【００３９】
ライトディスプレイアラート５３０は、少なくともおそらく押しつけがましい。特定のカラーは、装置のディスプレイスクリーン上に表示可能である。カラーはまた、特定のパターンによりオン及びオフするよう作成可能である。ライトディスプレイは、人により携行されるとき、状況が許すときに容易に視聴されるか、又は患者には見えない視覚的表示を医療実務者に提供する。しかしながら、ディスプレイを見るため、ディスプレイは医療実務者に見えるものでなければならない。
【００４０】
バイブレーションパターンアラート５２０は、装置を携行する人によって感じられる。アラートに用いられるバイブレーションパターンは、連続的又は断続的とすることができる。バイブレーションは、アラートレベルを区別するため、強度、スピード、タイムオン、タイムオフなど可変とすることができる。着信音パターン５１０は、産業界で周知であり、聴取可能なパターン及び／又は記録を含むことができる。カスタマイズ可能な記録がまた利用される。選択された着信音に応じて、着信音は、必要に応じてより押しつけがましく又はそうでなくされてもよい。
【００４１】
アラート５００は、その性質、緊急性又は期待されるレスポンスを示すようグループ化できる。これは、医療実務者が意味のあるアラートによって標準化されたメッセージコンテンツグループを利用することを可能にする。重要性のレベルは、ライト、バイブレーション、着信音パターンなどを用いてアラートにおいて区別されてもよい。アポイントメントの確認、退院の確認、受け取った保険支払い又はスケジューリングされた患者の到着などの情報メッセージでさえサービスに影響を与える異なるレスポンスをトリガ可能であり、さらにアラートにより実現可能である。
【００４２】
例えば、アラート５００は、レスポンスのためのタイムフレームを示すことができる。１つのアラートは、即座のアクションを示すものであってもよい。さらなる他のアラートは、アクションが１時間以内に要求されることを示すものであってもよい。他のものは、アクションがその日の終わりまで要求されることを示すものであってもよい。アラート５００は、オフィス、放射線科、実験室、ＩＣＵ、ＥＭＲなどのレスポンスが送信されるべき人を示すことができる。アラート５００は、入院患者、外来患者、管理部門又は人などのメッセージが誰に関係しているか示すことができる。アラート５００は、ソースのコール、ソースの電子メール、ソースのテキスト、メッセージの確認、特定の場所の決定又は移動などのアクション又はレスポンスのタイプを示すことができる。
【００４３】
図６を参照して、ＳＩＰプロトコルサーバ８０を利用した装置のデスティネーションの１−ｎマッピング及びソースのｍ−１マッピングによる実施例が示される。本実施例は、他の設定と別に又は一緒に１−ｎ及びｍ−１マッピングを利用する。装置のデスティネーションの１−ｎマッピングは、ＳＩＰのフォーキング（ｆｏｒｋｉｎｇ）又はインターネットプロトコルの転送機能を利用して、全てのメッセージが１つのデスティネーション６００に送信されるメッセージ５を複数の装置１０に送信する。医療実務者２０は、電話、スマートフォン、タブレット、接続性を備えた他の計算装置、これらの組み合わせ又は複数を利用してもよい。１−ｎマッピングは、メッセージが全ての装置、各装置又は装置１０の組み合わせに送信されることを可能にする。１−ｎマッピングは、フォーキングプロキシを利用したＳＩＰサーバ９０又は複数の転送先を有するＩＰサーバにより実行されるべきである。ＳＩＰサーバは、最大のフレキシビリティを提供する。ＩＰサーバは、典型的には、転送リストに加入及び設定するためのブラウザセッションを要求する。
【００４４】
ｍ−１マッピングは、複数のデスティネーションアドレス６１０が装置１０の１つにどのようにマッピングされるかを示す。ＳＩＰプロキシサーバ９０を利用して、複数の論理的なデスティネーションが１つの装置に登録される。各アドレスは、異なるメッセージカテゴリ又はアラートタイプを表す。例えば、アドレスＢ、Ｃ及びＤはそれぞれ、アラートグループ１，２及び３に関連付けされたデスティネーションのため利用される。メッセージのアラートレベルは、何れの論理デスティネーションアドレスが利用されるかにより反映される。異なるドメインからのアドレスは、同一の装置にマッピングするよう登録されてもよい。
【００４５】
他の実施例では、１−ｎ及びｍ−１マッピングが組み合わせて利用される。医療実務者は、複数のソースからメッセージ及び関連するアラートを受信し、複数の論理デスティネーションに送信され、全てがメッセージコンテンツに基づきアラートをトリガする１以上のデスティネーション装置により受信される。
【００４６】
図７を参照して、フローチャートは、アラートのタイプを決定するためメッセージ本体のコンテンツを読む実施例を示す。ステップ７００において、アプリケーションが装置１０にインストールされる。ステップ７１０において、アプリケーションはメッセージ５が到着するのを待機する。アプリケーションは、特定のソース及び／又はデスティネーションアドレスを待機するよう設定されるか、又は全てのメッセージを確認してもよい。ステップ７２０において、アプリケーションは、アラートのタイプを示すコードについてメッセージ本体の指定された部分を読む。特定タイプのアラートは、ステップ７３０においてトリガされ、それはライトパターン、バイブレーションパターン及び／又は着信音パターンを含むことができる。アラートパターンは、医師７４０へのメッセージコンテンツを区別する。
【００４７】
図８を参照して、フローチャートは、ソース及び／又はデスティネーションアドレスにより反映されるメッセージコンテンツに基づきアラートをトリガする実施例を示す。装置１０は、ステップ８００において、各ソース及び／又はデスティネーションアドレスとアラートパターン５００の特定の１つとを関連付けるよう構成される。装置１０は、ステップ８１０において、メッセージが受信されるのを待機する。メッセージが受信されると、ステップ８２０において、ソース及び／又はデスティネーションアドレス又はナンバーの設定によって、メッセージコンテンツ及びアラートタイプが決定される。着信音パターン、バイブレーションパターン、ライトパターン又はこれらの組み合わせなどの対応するアラート５００が決定される。ステップ８２０における判定により決定されたアラートは、ステップ８３０において再生される。ステップ８４０において、実務者は、ステップ８１０の設定からアラートのタイプと、とられるべきアクションを示すため装置１０により実行される着信音、ライトパターン及びバイブレーションパターンの組み合わせからのアラートパターンとを解釈する。
【００４８】
図９Ａ及び９Ｂを参照して、一実施例によるメッセージの設定及び送信がそれぞれ示される。図９Ａのステップ９００において、アラートカテゴリが定義される。カテゴリは、その性質、緊急性及び期待されるアクションがメッセージカテゴリについて共通するようなメッセージコンテンツを表す。メッセージカテゴリは、医療施設２５により同意された実務者４０の期待されるアクションを表す。メッセージカテゴリは、医療プロトコル、医療サービスプロバイダプロトコル又は医療施設プロトコルに基づくものとすることが可能であり、各医療実務者に固有のものとすることができる。ステップ９１０において、医療施設は、定義されたアラートカテゴリに従ってソースアドレス４１０を設定する。ソースアドレスの設定は、ＰＳＴＮナンバー、ＩＰアドレス及び／又はポート番号、ＳＩＰアドレス及び／又はポート番号の確保を含むことができる。ソースアドレスの設定はまた、ＳＩＰサーバ９０又はＩＰサーバへのアドレスの登録を含むことができる。
【００４９】
ステップ９２０において、任意的には、医療施設又はサービスプロバイダは、特定のデスティネーション４２０を含むように、又は複数の装置マッピング６００を許可するように、各実務者のアドレスを登録し、及び／又は番号を確保することができる。ステップ９２０は、各実務者について設定をカスタマイズするのに利用可能であるか、又は実務者により起動されたアラートのための一般化された実務として利用可能である。
【００５０】
他の実施例では、アラートがメッセージ本体４３０に符号化される場合、ステップ９１０及び９２０における設定が低減される。
【００５１】
ステップ９３０において、メッセージが符号化される。この符号化は、送信されるメッセージの性質、緊急性又は期待されるレスポンスを示すメッセージの特定のソース４１０及び／又はデスティネーション４２０を選択することを含む。送信局は、メッセージの送信の一部として符号化を実行する。他の実施例では、アラートカテゴリはメッセージの一部として含まれる。アラートカテゴリは、受信装置１０上で解釈される入力テキスト、入力音声、コマンド又は推論される自然言語、キーワードなどとすることができる。メッセージ５は、ステップ９４０において、送信局３０により送信される。
【００５２】
本発明は、好適な実施例を参照して説明された。上記の詳細な説明を参照及び理解した他者に改良及び代替が想起するかもしれない。本発明は、添付した請求項の範囲又はその均等に属する限り、このような全ての改良及び代替を含むものとして構成されることが意図される。
【図１】
2014532250.tif 000003
【図２】
2014532250.tif 000004
【図３】
2014532250.tif 000005
【図４】
2014532250.tif 000006
【図５】
2014532250.tif 000007
【図６】
2014532250.tif 000008
【図７】
2014532250.tif 000009
【図８】
2014532250.tif 000010
【図９】
2014532250.tif 000011
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
医療実務者にアラートするシステムであって、
各受信装置が対応する医療実務者に関連付けされ、複数のタイプのアラートの１つによって受信メッセージについて前記実務者にアラートするユーザアラート装置と、前記入力メッセージを受信する受信機と、前記ユーザアラート装置に前記複数のタイプのアラートの１つにより入力メッセージについて前記実務者にアラートさせる回路とを有する、複数の受信装置と、
各メッセージが前記アラートのタイプの選択された１つに対応し、前記受信装置が前記選択されたタイプのアラートによって前記メッセージを受信したことを前記実務者にアラートするように、前記受信装置の選択された１以上に複数の予め選択されたタイプの医療重大性の１つの医療情報を搬送するメッセージを送信する送信局と、を有するシステム。
【請求項２】
生理的パラメータをモニタする患者モニタであって、前記モニタは複数の選択された医療基準のそれぞれに応答して前記モニタされた生理状態を示すメッセージを前記実務者の１人に出力し、前記実務者に関連する受信装置が前記メッセージの医療重大性に対応するタイプのアラートにより前記実務者にアラートするように、前記送信局は各メッセージの選択された医療基準と対応するタイプのアラートとを関連付け、前記メッセージを前記実務者の１人に送信する、患者モニタを更に有する、請求項１記載のシステム。
【請求項３】
前記送信局は、各識別子が前記アラートのタイプの１つに対応する複数の送信局識別子を有し、前記アラート装置が前記選択されたアラートにより前記送信局識別子に応答するように、前記メッセージが選択されたアラートに対応する前記送信局の１つにより送信される、請求項１又は２記載のシステム。
【請求項４】
前記送信局識別子は、
ソースＰＳＴＮ（Ｐｕｂｌｉｃ  Ｓｗｉｔｃｈｅｄ  Ｔｅｌｅｐｈｏｎｅ  Ｎｅｔｗｏｒｋ）番号、
ソースＩＰアドレス、
ソースＩＰポート番号、及び
ＳＩＰ登録されたソース論理アドレス、
の少なくとも１つである、請求項３記載のシステム。
【請求項５】
前記受信装置の少なくとも１つは、各識別子が前記アラートのタイプの１つに対応する複数の受信局識別子を有し、前記アラート装置が選択されたアラートにより前記受信局識別子に応答するように、前記送信局は、前記選択されたアラートに対応する受信局識別子に前記メッセージを送信する、請求項１乃至３何れか一項記載のシステム。
【請求項６】
前記音声出力装置の着信音、前記バイブレート装置のバイブレーションパターン、又は前記光出力装置による光のパターン若しくはカラーは、前記アラートのタイプを示す、請求項１乃至５何れか一項記載のシステム。
【請求項７】
前記受信局識別子は、
ソースＰＳＴＮ（Ｐｕｂｌｉｃ  Ｓｗｉｔｃｈｅｄ  Ｔｅｌｅｐｈｏｎｅ  Ｎｅｔｗｏｒｋ）番号、
ソースＩＰアドレス、
ソースＩＰポート番号、
ＳＩＰ登録されたソース論理アドレス、
デスティネーションＩＰアドレス、
デスティネーションＩＰポート番号、及び
ＳＩＰ登録されたデスティネーション論理アドレス
の少なくとも１つである、請求項１乃至５何れか一項記載のシステム。
【請求項８】
１以上の物理的な受信装置に１以上の論理アドレスを含むメッセージを送信するためのプロキシサーバとして動作するＳＩＰ（Ｓｅｓｓｉｏｎ  Ｉｎｉｔｉａｔｉｏｎ  Ｐｒｏｔｏｃｏｌ）設定されたサーバを更に有する、請求項１乃至７何れか一項記載のシステム。
【請求項９】
医療実務者にアラートする方法であって、
１以上のタイプの予め選択された医療重大性による医療情報を搬送するメッセージを選択された１以上の受信装置に送信するステップと、
前記受信装置の１つが、前記医療メッセージを受信し、前記メッセージにより搬送された医療情報の医療重大性のタイプの１つに対応するタイプのアラートを実行することによって、前記メッセージの受信に応答するステップと、
を有する方法。
【請求項１０】
各識別子が前記アラートのタイプの１つに対応する複数の送信局識別子の１つを利用して送信される前記メッセージを、前記受信装置が前記送信局識別子に対応する前記アラートにより応答するように符号化するステップを更に有する、請求項９記載の方法。
【請求項１１】
各識別子が前記アラートのタイプの１つに対応する複数の受信局識別子の１つを利用して送信される前記メッセージを、前記受信装置が前記受信局識別子に対応する前記アラートにより応答するように符号化するステップを更に有する、請求項９又は１０記載の方法。
【請求項１２】
前記アラートタイプを符号化するステップは、テキスト又は音声コマンドを前記アラートタイプを示すメッセージ本体に挿入することを含む、請求項９乃至１１何れか一項記載の方法。
【請求項１３】
前記アラートタイプの実行は、
前記受信装置上で所定の着信音を再生すること、
所定のパターンに従って前記受信装置をバイブレートすること、及び
前記受信装置の光出力装置上で所定のライトのパターン又はライトのカラーを表示すること、
の少なくとも１つを含む、請求項９乃至１２何れか一項記載の方法。
【請求項１４】
前記送信局識別子は、
ソースＰＳＴＮ（Ｐｕｂｌｉｃ  Ｓｗｉｔｃｈｅｄ  Ｔｅｌｅｐｈｏｎｅ  Ｎｅｔｗｏｒｋ）番号、
ソースＩＰアドレス、
ソースＩＰポート番号、
ＳＩＰ登録されたソース論理アドレス、
デスティネーションＩＰアドレス、
デスティネーションＩＰポート番号、及び
ＳＩＰ登録されたデスティネーション論理アドレス
の少なくとも１つを含む、請求項９乃至１３何れか一項記載の方法。
【請求項１５】
前記メッセージは、音声メッセージ、ＳＭＳメッセージ、電子メールメッセージ及びインスタントメッセージ（ＩＭ）の少なくとも１つを含む、請求項９乃至１４何れか一項記載の方法。
【国際調査報告】
2014532250.tif 000012
2014532250.tif 000013
2014532250.tif 000014